(57)【要約】      （修正有）【課題】電池の収納ケースにおいて、スイッチ機能を設け、電池の寿命を延ばして効率を向上させた電池ケースを提供する。【解決手段】ＬＥＤケース１９のバネ足部２０には、設けた穴にＬＥＤの端子部２３を通して、Ｕ字に折り返し固定し、ＬＥＤケース１９のバネ足部２１の穴には、ＬＥＤの端子部２４を通して、Ｕ字に折り返して固定して組み込んだ。ＬＥＤケース１９は、ＬＥＤのばね足２０が本体ケース１８の内側面２５に沿って組込み、電池電極面集電金属板１０に接触する。ばね足２１が本体ケース１８の内側面２６に沿って組込み、電池負極素子金属板１２に押し当て接触させて装着される。ＬＥＤケース１９が移動方向２９に動いて、本体ケース１８に密着し、ＬＥＤの端子２３が正極電気の集電金属板１０接触し、ＬＥＤが端子部２４は一素子金属板１２に接触し、電気的に閉回路になったスイッチがＯＮ状態になる。【選択図】図５
0003194364.tif 000002
【実用新案登録請求の範囲】
【請求項１】
角型平面板状で電池のケースにおいて、平面板状角型の積層された電池と、該電池を整えるプラスチック製の垂直板をコの字に設けた電池ホルダーと、電池本体ケースと、該電池本体ケースに合わさる一端にダンパーを設けた蓋ケースと、２端子を持つＬＥＤと、蓋ケースのダンパーに該ＬＥＤの端子を固定して、該ＬＥＤの端子を該電池の電極版と、該電池ホルダーと、でスイッチ機能を備えたことを特徴とした電池ケース。
【考案の詳細な説明】
【考案の詳細な説明】
【技術分野】
【０００１】平面角型の積層電池、例えば負極の電極にはＭｇ合金板と、セパレータと、正極としてカーボン主体の合成板等と、正極集電板を重ね合わせた電池素材を平面角型に整列積層する電池ホルダー、及び該電池ホルダーで組み込まれた電池とＬＥＤを収納した電池ケースに関するものである。
【背景技術】  上記の電池は、電解液を添加しない状態では運搬性に優れる、長期保管可能であり非常用電源として修理が不要である特徴から近年開発が進んでいます。該電池の収納ケースにおいてスイッチ機能を設け、電池の寿命を延ばして効率を向上させた電池ケースガ望まれる。
【背景技術】  平面積層型の電池を収納した電池ケースにおいては、スイッチ機能を持たせた物としては、スイッチにリード線の半田付け等、配線技術で構成しているものであった。
【特許文献１】特願２０１３−１６９４５７
【特許文献２】特願２０１２−０８７１４９
【考案の概要】
【考案が解決しようとする課題】
【０００２】平面角型の積層電池において、炭素などの正極素子板、負極にはＭｇ合金などの負極素子金属板、正極素子板と負極素子金属板の間に、電解液等を補給する不織布などの多孔質板と、正極素子板の正極電気のＣｕ板など集電金属板を積み重ねて形成された、電池の各部材寸法の誤差を解消すること。収納ケースにおいては、ケース組込み位置、組み合わせの位置にスイッチ機構を持たせること、該電池にＬＥＤを組み合わせにて点灯、消灯できる機構の電池ケースを供給すること。
【考案が解決するための手段】
本考案は、角型平板状で電池の正極には、炭素などの正極素子板、負極には、Ｍｇ合金などの負極素子金属板、正極素子板と負極素子金属板の間に電解液等を補給する不織布などの多孔質板と、正極素子板の正極電気のＣｕ板など集電金属板を、積み重ねて形成した電池のセルと、該セルの複数組を積層した物をセルユニットとする。該電池は該セルユニットの両外面から圧接する様に、挟込板とスプリング構造を設けた電池ホルダーで組込む。該セルを複数の積層した厚みに柔軟に対応し、厚み方向に圧接するダンパーを備えた電池ホルダーで安定した組み込みが得られる。
【０００３】  電池ケースにおいて、該電池を電池ケース本体に収めて、ＬＥＤを組込んだＬＥＤケースを蓋にして組み立てた。ＬＥＤの組込みは、ＬＥＤケース嵌合側先端部に設けたバネ足部に、ＬＥＤ端子部を添わせて固定した。
電池ケースの内面と電池の電極金属面の隙間にＬＥＤの端子部が電池ホルダーの乗り上げる面に擦るようにＬＥＤケースを組み込む。
ＬＥＤの端子部は該電池の電池ホルダーの乗り上げる面によりスイッチ機能を持たせた電池ケースを提供する。
【０００４】  本考案を、図１から図６で説明する、図１は本考案による電池ホルダー図である。図１（ａ）電池ホルダー１は１組２つの挟込板Ａ２と、挟込板Ｂ３を向かい合わせに配置して、コの字型で継なぐスプリング部Ｃ４を設けた電池ホルダーである。スプリング部Ｃ４は、パンタグラフ構造の作りにより挟込板Ａ２と、挟込板Ｂ３の間に挟まる厚みの誤差に対して柔軟に対応可能にしてある。
図１（ｂ）は電池ホルダー５である挟込板Ｄ６と、挟込板Ｅ７を向かい合わせになる様に、コの字型で継なぐスプリング部Ｆ８を設けた電池ホルダー５である。スプリング部Ｆ８は、パンタグラフ構造で挟込板Ｄ６と、挟込板Ｅ７の間に挟まる厚みの誤差に柔軟に対応可能にしてある。
【０００５】  図２は電池のセル及びセルユニットの説明図である。
図２（ａ）においては、セル９の説明図である、角型平面板状で電池の正極電気の集電をする集電金属板１０と、正極素子板１１と、電池の負極素子金属板１２と正極素子板１１と、負極素子金属板１２の間に、電解液を供給する多孔質板１３とを、積層して形成された電池を構成する１単位のセル９を形成する。
【０００６】  図２（ｂ）セルユニット１５説明図である、セル９を少なくとも１組以上の複数組を直列に重ね合わせて、電極の補強の補強板１４を集電金属板１０の外側に配置したセルユニット１５である、集電金属板１０が充分な強度のときは省くこともできる。
図３は、本考案による基本実施例の図、電池１６である、セル９を整列固定させたセルユニット１５を、電池ホルダー１と、電池ホルダー５で挟み込み、電池１６を構成する。電池ホルダー１の挟込板２、と挟込板３との間にセルユニット１５を嵌め込み、対面側には、電池ホルダー５の挟込板Ｄ６と、挟込板Ｅ７の間にセルユニット１５を嵌め込んで電池１６が構築される。
【０００７】  図４は、本考案の基本実施例の図、電池ライト１７の組込み構造図である。
図４において電池ライト１７は、本体ケース１８中央部に電池１６を収納している、本体ケース１８上部にＬＥＤケース１９の内側にＬＥＤ２２を固定してＬＥＤケース１９を蓋とした構造図である。
【０００８】  図５、図６は電池ライト構造断面図でする。
図５においてはＬＥＤケース１９、本体ケース１８の位置がスイッチ機能としてＯＮ状態にある説明図である。図６においては、ＬＥＤケース１９、本体ケース１８の位置がスイッチ機能としてＯＦＦ状態にある説明図である。
ＬＥＤケース１９のバネ足部２０には、設けた穴２０−ａにＬＥＤ２２の端子部２３を通して、Ｕ字に折り返し固定し、ＬＥＤケース１９のバネ足部２１の穴２１−ｂには、ＬＥＤ２２の端子部２４を通して、Ｕ字に折り返して固定して組み込んだ。
ＬＥＤケース１９は、ＬＥＤ２２のばね足２０が本体ケース１８の内側面２５に沿って組込み、電池１６電極面集電金属板１０に接触する。ばね足２１が本体ケース１８の内側面２６に沿って組込み、電池１６負極素子金属板１２に押し当て接触させて装着される。
図５は、ＬＥＤケース１９が移動方向２９に動いて、本体ケース１８に密着し、ＬＥＤ２２の端子２３が正極電気の集電金属板１０接触し、ＬＥＤ２２が端子部２４は一素子金属板１２に接触し、電気的に閉回路になったスイッチがＯＮ状態の説明図である。
【０００９】  図６は、ＬＥＤケース１９が移動方向３０に動いて、電池ホルダー１の分離面２７にＬＥＤ２２の端子部２３が乗り上げ、分離面２８に端子部２４が乗り上げて、端子部２３は、電極面集電金属板１０から離れて、端子部２４は、負極素子金属板１２から離れて、ＬＥＤ２２が電気的には断絶状態、開回路となって、スイッチがＯＦＦ状態の説明図である。
図５と、図６の移動方向２９、移動方向３０にＬＥＤケース１９の位置を変えることでＬＥＤ２２の回路のＯＮ・ＯＦＦスイッチ機構とすることができる。
【考案の効果】
本考案の電池収納ケースは、単純な構造でスイッチ機能を持たせたＬＥＤライトユニットがえられる。電気回路がＯＦＦ状態では電流が少ないので電池の寿命を延ばすことができた。
部品の組込みが単純で、品質の安定し製品がえられた。
【図面の簡単な説明】
【００１０】
【図１】本考案による電池ホルダー図
【図２】電池のセル及びセルユニットの説明図
【図３】本考案の基本実施例の図
【図４】本考案の基本実施例の図
【図５】電池ライト構造断面図
【図６】電池ライト構造断面図
【考案を実施するための形態】
【００１１】マグネシウム等の電池ライトにかんする平面板状角型の積層電池構造において簡単な構造のスイッチ構造を単純化し効率よいエネルギーの提供を目的とした。
【符号の説明】
【００１２】１・電池ホルダー
２・挟込板Ａ
３・挟込板Ｂ
４・プリング部Ｃ
５・電池ホルダー
６・挟込板Ｄ
７・挟込板Ｅ
８・プリング部Ｆ
９・セル
１０・集電金属板
１１・陽極素子板
１２・陰極素子金属板
１３・多孔質板
１４・電極補強板
１５・セルユニット
１６・電池
１７・電池ライト
１８・本体ケース
１９・ＬＥＤケース
２０・バネ足部
２０−ａ・穴
２１・バネ足部
２１−ｂ・穴
２２・ＬＥＤ
２３・端子部
２４・端子部
２５・内側面
２６・内側面
２７・電極接触分離面
２８・電極接触分離面
２９・移動方向
３０・移動方向
【図１】
0003194364.tif 000003
【図２】
0003194364.tif 000004
【図３】
0003194364.tif 000005
【図４】
0003194364.tif 000006
【図５】
0003194364.tif 000007
【図６】
0003194364.tif 000008
【手続補正書】
【提出日】平成26年8月27日(2014.8.27)
【手続補正１】
【補正対象書類名】実用新案登録請求の範囲
【補正対象項目名】全文
【補正方法】変更
【補正の内容】
【実用新案登録請求の範囲】
【請求項１】
角型平面板状の電池ケースにおいて、電池収納する本体ケースと、角型の対抗する平面部に電極板を整えるコの字型プラスチック製の電池ホルダーと、該本体ケースへ電池を挿入する方向に、電池ホルダーで電極の導通部と該電池ホルダーの平面部で非導通部を設けた電池と、２つの端子を持つＬＥＤと、該ＬＥＤの２端子を平面部電極板に押し当て接触して滑り移動する平板状のダンパーを設けた蓋ケースと、該蓋ケースのダンパーに該ＬＥＤの端子を固定して、該ＬＥＤの端子部を、電池の本体ケース内面に向き合う該電池の平面との隙間に差込み、ＬＥＤの端子部が電池の平面の導通部電極板と、非導通部の面を電池挿入方向にスライド接触してＬＥＤの端子部が平面の導通部と接触した状態でスイッチＯＮし、非導通部の面にＬＥＤの端子部がある状態でスイッチＯＦＦとなる、スイッチ機能を備えたことを特徴とした電池ケース。